【事件の表示】
　特願２００９−１４４１００「乾燥システム」拒絶査定不服審判事件〔平成２３年　１月　６日出願公開，特開２０１１−　　２１２９〕について，次のとおり審決する。
【結　論】
　本件審判の請求は，成り立たない。
【理　由】
１　手続の経緯
　本願は，平成２１年６月１７日の出願であって，平成２５年７月５日付けで通知された拒絶の理由に対して，平成２５年９月９日に意見書および手続補正書が提出されたが，平成２６年３月３日付けで拒絶査定され，これに対して，平成２６年６月１１日に拒絶査定不服審判が請求されると同時に手続補正書が提出されたものである。
　
２　平成２６年６月１１日の手続補正書による補正（以下，「本件補正」という。）についての補正の却下の決定
［補正の却下の決定の結論］
　本件補正を却下する。
　
［理由］
（１）　本件補正後の本願の発明
　本件補正により，特許請求の範囲の請求項１は，
「建物の屋根面に、太陽電池モジュールが前記屋根面との間に空気流通層を介在させた状態で設けられており、
　前記空気流通層に空気流通路が接続されており、
　この空気流通路は、建物内の洗濯機置場の上方にある物干しスペースに面する天井に設けられた吹出口に接続されており、
　前記空気流通路は玄関ホールを上下に貫通して、床下まで延出されており、
　前記玄関ホールを上下に貫通する空気流通路に、吹出口が玄関ホールに向けて設けられており、
　前記洗濯機置場および前記物干しスペースは洗面室内に配置されており、
　前記洗濯機置場および前記物干しスペースは、平断面コ字型の壁によって囲まれており、この平断面コ字型の壁の開口が前記洗面室の内側に向いており、
　前記洗面室と前記玄関ホールとが、互いに連通した状態で横方向に隣接配置されていることを特徴とする乾燥システム。」
と補正された。
　
（２）　本件補正の目的
　本件補正は，何ら新規事項を追加するものではなく，本件補正前の請求項１に係る発明を特定するために必要な事項である「洗濯機置場」，「物干しスペース」及び「玄関ホール」に関して，「前記洗濯機置場および前記物干しスペースは洗面室内に配置されており、前記洗濯機置場および前記物干しスペースは、平断面コ字型の壁によって囲まれており、この平断面コ字型の壁の開口が前記洗面室の内側に向いており、前記洗面室と前記玄関ホールとが、互いに連通した状態で横方向に隣接配置されている」ことを限定するものであって，産業上の利用分野及び解決しようとする課題が同一のものである。
　したがって，本件補正は，特許法第１７条の２第５項第２号の特許請求の範囲の減縮を目的とするものに該当するので，本件補正後の前記請求項１に記載された発明（以下，「本願補正発明」という。）が特許出願の際独立して特許を受けることができるものであるか（特許法第１７条の２第６項において準用する同法第１２６条第７項の規定に適合するか）について以下に検討する。
　
（３）　引用例
（ａ）　本願の出願の前に日本国内において頒布され，原査定の拒絶の理由に引用された実願昭６０−１０９０６２号（実開昭６２−１７７３３号）のマイクロフィルム（以下，「引用例１」という。）には，図面と共に次の事項が記載されている。
　
（ア）　「（１）　太陽熱により温風を発生させる空気式太陽熱集熱器からのびかつフアンを有する送気流路を該送気流路の下流端で分岐する分岐流路を介して主室と副室とに並列的に接続するとともに、副室に通じる分岐流路に、通気孔が予設されかつ回動可能な翼体を有するダンパを介在させてなる太陽熱を利用する空調装置。」（明細書１ページ４〜１０行）
　
（イ）　「［技術分野］
　本考案は、空気式太陽熱集熱器の温風を居室等の主室と、洗面室、浴室などの副室に分配するとともに、副室に通じる流路に少量の温風吹出し可能なダンパを設けることによって、副室を緩空調でき、太陽熱の利用効率と居住性とを向上しうる太陽熱を利用する空調装置に関する。
［背景技術］
　太陽熱を利用して温風を発生する空気式太陽熱集熱器を用いた空調装置が利用されつつある。
　このような装置では、空気式太陽熱集熱器からの温風を居室、子供部屋などの家人が主として入室する主室に吹き出すごとく形成していた。
　他方、洗面所、浴室など家人の存在時間が短い副室は通常非空調のまま放置される場合が多く、その結果、主室と副室とに温度差が生じるなど温度的な生活環境を著しく損なう。
　又前記洗面室、浴室等の副室は衣類の乾燥室として利用することもある。このような場合には、従来、乾燥用の温風発生器を主室用の空調装置とは別に設けていたため、装置の利用効率が低く、又費用が嵩む。
［考案の目的］
　本考案は、副室に通じる分岐流路に通気孔が予設されかつ回動可能な翼体を有するダンパを介在することを基本として、主室を空調する際には、常に副室を緩やかに空調するとともに、副室での衣類の乾燥を可能とする太陽熱を利用する空調装置の提供を目的としている。
［考案の開示］
　以下本考案の一実施例を図面に基づき説明する。
　第１〜８図において本考案の太陽熱を利用する空調装置１は、空気式太陽熱集熱器２からのびかつフアン３を有する送気流路４を、その下流端で分岐する分岐流路５、６を介して主室７と副室９とに並列的に接続しており、又副室９に通じる分岐流路６に、通気孔１０を予設する回動可能な翼体１１を有するダンパ１２を介在している。
　なお本例では、居室をなす主室７を階下に設けるとともに、主室７上方の階上には、衣類を乾燥する部屋として利用可能な洗面室をなす副室７が配設される。
　空気式太陽熱集熱器２は、傾斜屋根に配されかつ上部を透光板により覆った箱体２１内に、太陽熱を集熱し内部の空気を加温しうる集熱板２２を収納している。
　又前記空気式太陽熱集熱器２には、その上方位置、下方位置において箱部２１底部を切欠き空気出口２３、空気入口２４を設け、また空気出口２３には、フアン３が介在する送気ダクト２６の一端を接続するとともに、該送気流路７（当審注：「該送気ダクト２６」の誤記。）の他端は、主室７に開口する通風口２７を具えた第１の分岐ダクト２９と、副室９で開口する通風口３０を具えた第２の分岐ダクト３１とを分岐する。
　従って主室７と副室９とは太陽熱集熱器２に並列的に接続されかつ送気ダクト２６が送気流路４を第１の分岐ダクト２９、第２の分岐ダクト３１が夫々主室７、副室９に通じる分岐流路５、６を形成する。
　又本例では、主室５下方の布基礎Ｂに囲まれる床下空間Ｃに、密閉箱体内部に砕石等の蓄熱材を充填してなる蓄熱槽１６が設けられ、蓄熱槽１６は、その一側端に接続される第３の分岐ダクト３２の他端を前記第１の分岐ダクト２９に通気口２７の上流側で接続することにより、太陽熱集熱器２に連通する。
　又空気入口２４には、主室７、副室９、蓄熱槽１９で夫々開口する通気管３４…を具える還流ダクト３５が接続される。」（明細書１ページ１２行〜４ページ２０行）
　
（ウ）　「又副室９を例えば乾燥室として利用する場合には、第６図に示すごとく、ダンパ１２を開くことによって多量の温風が副室９に吐出され、洗濯物等の被乾燥物を乾燥することができる。なお開閉弁４４を閉じることにより、副室９に空気式太陽熱集熱器２に発生する温風の全量が吐出され、急速な乾燥ができる。」（明細書８ページ６〜１２行）
　
（エ）　「［考案の効果］
　叙上のごとく本考案の太陽熱を利用する空調装置は、空気式太陽熱集熱器からのびる送気流路を、分岐流路を介して主室と副室に並列的に接続し、副室に通じる分岐流路に通気口を設けた翼体を有するダンパを介在させたため、主室を空調する際には、副室を緩やかに空調でき、主室と副室との温度差を著減することによって屋内の居住環境を向上するとともに、空気式太陽熱集熱器からの温風を用いて衣類の乾燥が可能となり、装置の利用効率を高める等優れた効果を奏しうる。
　なお廊下、収納室など住人が通常長時間いない部屋を副室に含ませることができる。」（明細書１０ページ１３行〜１１ページ５行）
　
（オ）　第１図には空調装置の断面図，第５〜８図には空調装置の作用を示す線図が示されており，特に，第１図には，副室内において棒にハンガを用いて衣類が吊り下げられて乾燥される様子と，送気流路は副室から床下空間まで延出されている様子がみてとれる。
　
（カ）　これらの事項を総合して整理すると，引用例１には次の発明（以下，「引用発明」という。）が記載されていると認めることができる。
　
「上部を透光板により覆った箱体内に、太陽熱を集熱し内部の空気を加温しうる集熱板を収納した空気式太陽熱集熱器が傾斜屋根に配されており、
　送気流路は空気式太陽熱集熱器からのび、
　この送気流路は、副室内において衣類をハンガを用いて棒に吊り下げて乾燥する部屋として利用可能な副室で開口する通風口に、分岐流路を介して接続されており、
　前記送気流路は副室から、床下空間まで延出されており、
　前記送気流路に、通風口が副室で分岐流路を介して開口しており、
　前記副室内において衣類をハンガを用いて棒に吊り下げて乾燥する部屋は洗面室をなしている衣類を乾燥できる空調装置。」
　
（ｂ）　本願の出願の前に日本国内において頒布され，原査定の拒絶の理由に引用された特開平１０−１４０６８６号公報（以下，「引用例２」という。）には，図面と共に次の事項が記載されている。
　
（ア）　「【特許請求の範囲】
【請求項１】  予め準備された基礎の上に壁部を有する建物本体を据え付け、これら建物本体の上に屋根ユニット又は屋根パネルを据え付けて相互に連結してなる建物の屋根面に複数の太陽電池モジュールを敷き詰めることで構成された太陽電池モジュール並設体と、該太陽電池モジュール並設体と前記屋根面との間に設置され、屋外の空気を取り入れて前記太陽電池モジュール並設体を冷却するための太陽電池モジュール並設体冷却用通気層とを備えるソーラシステム建物において、
前記太陽電池モジュール並設体冷却用通気層と任意の単数又は複数の室や床下空間との間を前記建物本体の壁部に形成された壁内空間を通して連通状態にすると共に、前記太陽電池モジュール並設体冷却用通気層内の空気を前記室や床下空間に導くための送風用ファン装置を備えてなることを特徴とするソーラシステム建物。」
　
（イ）　「【０００４】この発明は、上述の事情に鑑みてなされたもので、屋根面に設置された太陽電池モジュールが得た太陽エネルギを利用して室内の冷暖房負荷の軽減を図り、また、太陽熱により加温された空気を、新たに特別なダクト等の空気流通路を設けることなく、室内や床下空間へ搬送することができ、かつ、効率良く熱交換を行うことができ、太陽電池モジュールを屋根面に取り付ける際にも手間がかからないソーラシステム建物を提供することを目的としている。」
　
（ウ）　「【００２２】・・・・・そして、各壁パネル１１２（１２２）の内部の壁枠組と内側及び外側の壁面材１１２ｄ（１２２ｄ），１１２ｄ（１２２ｄ）とで仕切られ空間は、所定の領域を壁内通気空間Ｃとして用いられ、これ以外の領域を、必要に応じてグラスウール等の断熱材が装填されている。また、下階の建物ユニット１１の壁内通気空間Ｃは、下部において壁パネル１１２の内側の壁面材の貼付けが省略されることにより、床下空間１５と連通している。また、建物ユニット１１，１２，…の壁内通気空間Ｃが設けられた側の壁パネルには、壁内通気空間Ｃを通じて送られてきた空気を室内に供給するための給気口Ｈｂ，Ｈｂ，…が設けられている。なお、各給気口Ｈｂには、開閉自在の電動の開閉ダンパが備えられている。」
　
（エ）　図１には，ソーラシステム建物の概略構成を示す斜視図であって，通気のための通路を示す斜視図が示されている。
　
（オ）　これらの事項を総合すると，引用例２には次の事項が記載されていると認めることができる。
　
「建物の屋根面に、太陽電池モジュール並設体が前記屋根面との間に太陽電池モジュール並設体冷却用通気層を設置して設けられており、
　前記太陽電池モジュール並設体冷却用通気層に壁内通気空間が連通されており、
　この壁内通気空間は、各室の給気口に通じており、
　前記壁内通気空間は床下空間まで連通しており、太陽熱により加温された空気を、室内や床下空間へ搬送すことができるソーラシステム建物。」
　
（ｃ）　本願の出願の前に日本国内において頒布され，原査定の拒絶の理由に引用された特開２００７−１２７３３９号公報（以下，「引用例３」という。）には，図面と共に次の事項が記載されている。
　
（ア）　「【００５５】
　また洗濯物保持手段１０７として、洗濯物１０８を吊り下げる物干し竿ならびにハンガーと、物干し竿を吹出口１９の近傍に固定されるため端部を壁面もしくは天井面に固定し物干し竿を引っ掛ける保持具を用いている。なお、洗濯物１０８を吹出口１９近傍に固定するという効果を有していればよく、端部に洗濯物を干すためのハンガーが備えられているスタンドを用いることもできる。」
　
（イ）　「【００６６】
　（実施の形態２）
　図６に実施の形態２における除湿システムの概略図、図７に実施の形態２における除湿装置４４の概略断面図、図８に実施の形態２における概略平面図を示す。
【００６７】
　この実施の形態２は実施の形態１における除湿システムと概ね同じ構成を用いており、実施の形態１との相違点として図６に示すように除湿装置４４をランドリールーム１０６内ではなくランドリールーム１０６の天井裏に設け、図７に示すように除湿装置４４の吹出口４５をランドリールーム１０６の天井４６に設けたことにある。このことによって、実施の形態１と比較して洗濯機９と天井４６の空間が拡大し、その結果洗濯物１０８を干すことが容易に行なうことができ、また大型の洗濯物１０８を乾燥させることができる。」
　
（ウ）　図６には，除湿システムの概略図が示されている。
　
（エ）　これらの事項を総合すると，引用例３には次の事項が記載されていると認めることができる。
　
「ランドリールーム１０６内の洗濯機９の上方にある洗濯物保持手段１０７に吊り下げられた洗濯物１０８に面する天井に除湿装置４４の吹出口４５を設けることで，建物内の洗濯機置場の上方にある洗濯物を干す空間すなわち物干しスペースに面する天井に洗濯物を乾燥させる吹出口を設けること。」
　
（４）　対比
　本願補正発明と引用発明とを対比する。
　その機能・構成からして，引用発明の「送気流路」は本願補正発明の「空気流通路」に相当し，以下同様に，「通風口」は「吹出口」に，「床下空間」は「床下」に，「衣類を乾燥できる空調装置」は「乾燥システム」に，それぞれ相当している。
　また，引用発明の「上部を透光板により覆った箱体内に、太陽熱を集熱し内部の空気を加温しうる集熱板を収納した空気式太陽熱集熱器が傾斜屋根に配されており、送気流路は空気式太陽熱集熱器からのび」ているものと，本願補正発明の「建物の屋根面に、太陽電池モジュールが前記屋根面との間に空気流通層を介在させた状態で設けられており、前記空気流通層に空気流通路が接続されて」いるものとは，どちらのものも建物の屋根に設けられていて太陽で加熱された空気を空気流通路に導く機能を有するものであるから，結局「建物の屋根に設けられ太陽で加熱された空気を空気流通路に導く」ものの概念で共通する。
　引用発明の「副室内において衣類をハンガを用いて棒に吊り下げて乾燥する部屋として利用可能な副室で開口する通風口」と本願補正発明の「建物内の洗濯機置場の上方にある物干しスペースに面する天井に設けられた吹出口」とは，引用発明の「副室内において衣類をハンガを用いて棒に吊り下げて乾燥する部屋として利用可能な副室」の「副室内において衣類をハンガを用いて棒に吊り下げて乾燥する」空間が本願補正発明の「建物内の物干しスペース」に相当するから，結局「建物内の物干しスペースの部屋に設けられた吹出口」の概念で共通する。
　引用発明の「送気流路は」「通風口に、分岐流路を介して接続されて」いる態様と，本願補正発明の「空気流通路は」「吹出口に接続されて」いる態様とは，「空気流通路は吹出口に接続されて」いる態様の概念で共通する。
　引用発明の「送気流路は副室から、床下空間まで延出され」る態様と本願補正発明の「空気流通路は玄関ホールを上下に貫通して、床下まで延出され」る態様とは，引用発明の「副室」と本願補正発明の「玄関ホール」とが「建物内空間」の概念で共通しているから，結局「空気流通路は建物内空間から床下まで延出され」る態様の概念で共通する。
　引用発明の「送気流路に、通風口が副室で分岐流路を介して開口して」いる態様と，本願補正発明の「玄関ホールを上下に貫通する空気流通路に、吹出口が玄関ホールに向けて設けられて」いる態様とは，「空気流通路に、吹出口が建物内空間に向けて設けられて」いる態様の概念で共通する。
　そして，引用発明の「副室内において衣類をハンガを用いて棒に吊り下げて乾燥する部屋は洗面室をなしている」態様と，本願補正発明の「洗濯機置場および前記物干しスペースは洗面室内に配置されており、前記洗濯機置場および前記物干しスペースは、平断面コ字型の壁によって囲まれており、この平断面コ字型の壁の開口が前記洗面室の内側に向いており、前記洗面室と前記玄関ホールとが、互いに連通した状態で横方向に隣接配置されている」態様とは，「物干しスペースは洗面室内に配置されている」態様の概念で共通する。
　
　したがって，両者は，
「建物の屋根に設けられ太陽で加熱された空気を空気流通路に導き、
　この空気流通路は、建物内の物干しスペースの部屋に設けられた吹出口に接続されており、
　前記空気流通路は建物内空間から床下まで延出されており、
　前記空気流通路に、吹出口が建物内空間に向けて設けられており、
　前記物干しスペースは洗面室内に配置されている乾燥システム。」
の点で一致し，以下の点で相違している。
　
＜相違点１＞
　建物の屋根に設けられ太陽で加熱された空気を空気流通路に導くものに関し，本願補正発明では「建物の屋根面に、太陽電池モジュールが前記屋根面との間に空気流通層を介在させた状態で設けられており、前記空気流通層に空気流通路が接続されて」いるのに対して，引用発明では「上部を透光板により覆った箱体内に、太陽熱を集熱し内部の空気を加温しうる集熱板を収納した空気式太陽熱集熱器が傾斜屋根に配されており、送気流路は空気式太陽熱集熱器からのび」ている点。
　
＜相違点２＞
　建物内の物干しスペースの部屋に設けられた吹出口に関し，本願補正発明では「建物内の洗濯機置場の上方にある物干しスペースに面する天井に設けられた吹出口」であるのに対して，引用発明では「副室内において衣類をハンガを用いて棒に吊り下げて乾燥する部屋として利用可能な副室で開口する通風口」である点。
　
＜相違点３＞
　本願補正発明では「空気流通路は」「吹出口に接続されて」いるのに対して，引用発明では「送気流路は」「通風口に、分岐流路を介して接続されて」いる点。
　
＜相違点４＞
　空気流通路は建物内空間から床下まで延出され，その空気流通路に，吹出口が建物内空間に向けて設けられることに関し，本願補正発明では「空気流通路は玄関ホールを上下に貫通して、床下まで延出され」，その「玄関ホールを上下に貫通する空気流通路に、吹出口が玄関ホールに向けて設けられ」るのに対して，引用発明では「送気流路は副室から床下空間まで延出され」，その「送気流路に、通風口が副室で分岐流路を介して開口して」いる点。
　
＜相違点５＞
　物干しスペースは洗面室内に配置されていることに関し，本願補正発明では「洗濯機置場および前記物干しスペースは洗面室内に配置されており、前記洗濯機置場および前記物干しスペースは、平断面コ字型の壁によって囲まれており、この平断面コ字型の壁の開口が前記洗面室の内側に向いており、前記洗面室と前記玄関ホールとが、互いに連通した状態で横方向に隣接配置されている」のに対して，引用発明では「副室内において衣類をハンガを用いて棒に吊り下げて乾燥する部屋は洗面室をなしている」点。
　
（５）判断
　上記各相違点について検討する。
　
　＜相違点１＞について
　上記引用例２に記載された事項からすると，引用例２には，引用発明と同様に太陽熱により加温された空気を，室内や床下空間へ搬送できるものが記載され，その「太陽電池モジュール並設体」，「太陽電池モジュール並設体冷却用通気層」及び「壁内通気空間」は，それぞれ本願補正発明の「太陽電池モジュール」，「空気流通層」及び「空気流通路」に相当しているから，結局「建物の屋根面に、太陽電池モジュールが前記屋根面との間に空気流通層を介在させた状態で設けられており、前記空気流通層に空気流通路が接続されて」いる「建物の屋根に設けられ太陽熱により加温された空気を空気流通路に導くもの」が記載されている。
　そして，上記引用例２に記載されたものは，上記太陽熱の利用に加え，太陽の光エネルギを太陽電池によって電力に変換して利用し，太陽エネルギの利用効率を高めるものであるが，ソーラシステムにおいて，太陽エネルギの利用効率を高めることは一般的な技術課題であるので，引用発明において，引用例２に記載されたものを採用することで，引用発明をして本願補正発明の上記相違点１に係る構成とすることは，当業者が容易に想到し得たことである。
　
　＜相違点２＞について
　物干しスペースと洗濯機の位置関係は設計者が適宜設定し得るし，物干しスペースに設けられた吹出口をどこに設けるかも設計者が適宜設定し得るから，上記引用例３に記載された事項からすると，洗濯作業の効率性等や洗濯物の乾燥しやすさ等を考慮することで，引用発明をして本願補正発明の上記相違点２に係る構成とすることは，当業者が容易に想到し得たことである。
　
　＜相違点３＞について
　空気流通路の吹出口を設ける際に分岐部を介するか否かは，空気流通路と吹出口との接続配置等によって当業者が適宜選択し得ることである。
　また，本願の明細書の段落【００２９】及び段落【００３６】並びに図３には，空気流通路と吹出口との接続に関し，「空気流通路１３」は「ダクト１３ｃ」を使用し，「ダクト（縦ダクト）１３ｃ」は「分岐ダクト（横ダクト）１３ｈ」を介して「吹出口１６ｃ」に接続される旨記載されている。さらに，同段落【００３６】には「ダクト１３ｃを直接天井１６ａの下面に開口して」吹出口としてもよい旨も記載されている。
　したがって，引用発明をして本願補正発明の上記相違点３に係る構成とすることは，当業者が容易に想到し得たことである。
　
　＜相違点４＞について
　引用例１には，「廊下、収納室など住人が通常長時間いない部屋を副室に含ませることができる。」（前記「２（３）（ａ）（エ）」，参照。）と記載されているから，「副室」の「廊下」として「玄関ホール」を採用することが示唆されているといえる。
　また，建物内空間を上下に貫通して空気流通路を設けることは本願出願前に周知のことである（必要であれば，原査定の拒絶の理由に引用された特開２００８−１８５３２３号公報（特に，段落【００２８】及び図１等の「連通空気パイプ５０，５８」等参照。）等参照。）。
　そして，上記＜相違点３＞についてで検討したとおり，空気流通路の吹出口を設ける際に分岐部を介するか否かは適宜選択し得ることである。
　そうすると，引用発明をして本願補正発明の上記相違点４に係る構成とすることは，当業者が容易に想到し得たことである。
　
　＜相違点５＞について
　上記相違点２について検討したように，洗濯機置場の上方に物干しスペースを配することに当業者にとって格別な困難性は認められない。また，洗濯機置場を平断面コ字型の壁によって囲み，この平断面コ字型の壁の開口が洗面室の内側に向くようにすることは，本願出願前に周知のことである（必要であれば，原査定の拒絶の理由に引用された特開２００２−８５８９２号公報（特に，段落【００１０】，【００１２】及び図１等の「洗濯機３の設置台４」及び「固定遮蔽板５」等参照。）等参照。）。さらに，洗面室と玄関ホールとが互いに連通した状態で横方向に隣接配置されることも，本願出願前に周知のことである（必要であれば，特開２０００−２７４０９０号公報（特に，段落【００２１】，【００２２】及び図１等の「玄関ホール２ｂ」及び「ユーティリティ３」等参照。），特開２０００−２４８７３２号公報（特に，【００３２】，【００３３】及び図１等の「玄関ホール３ａ」及び「ユーティリティ７」等参照。），特開平１１−２５６８４４号公報（特に，段落【００２８】，【００２９】及び図１等の「洗濯場と洗面所の部屋５」及び「玄関ホール７」等参照。），特開平８−６８２１７号公報（特に，段落【００２３】，【００２５】及び図２等の「洗面室５」及び「玄関ホール１４ａ」等参照。）等参照。）。そうすると，引用発明をして本願補正発明の上記相違点５に係る構成とすることは，当業者が容易に想到し得たことである。
　
　そして，本願補正発明の全体構成により奏される作用効果も，引用発明，引用例１，引用例２，引用例３に記載された事項及び周知の事項から当業者が予測し得る範囲内のものである。
　
　よって，本願補正発明は，引用発明，引用例１，引用例２，引用例３に記載された事項及び周知の事項に基いて，当業者が容易に発明をすることができたものであるから，特許法第２９条第２項の規定により特許出願の際独立して特許を受けることができないものである。
　
（６）　むすび
　以上のとおりであって，本件補正は，特許法第１７条の２第６項において準用する同法第１２６条第７項の規定に違反するので，同法第１５９条第１項の規定において読み替えて準用する同法第５３条第１項の規定により却下すべきものである。
　
３　本願について
　本件補正は上記のとおり却下されたので，本願の請求項１に記載された発明（以下，同項記載の発明を「本願発明」という。）は，以下のとおりのものと認められる。
　
「建物の屋根面に、太陽電池モジュールが前記屋根面との間に空気流通層を介在させた状態で設けられており、
　前記空気流通層に空気流通路が接続されており、
　この空気流通路は、建物内の洗濯機置場の上方にある物干しスペースに面する天井に設けられた吹出口に接続されており、
　前記空気流通路は玄関ホールを上下に貫通して、床下まで延出されており、
　前記玄関ホールを上下に貫通する空気流通路に、吹出口が玄関ホールに向けて設けられていることを特徴とする乾燥システム。」
　
（１）　引用例
　原査定の拒絶の理由に引用された引用例１，引用例２及び引用例３の記載事項及び引用発明は，前記「２（３）」のとおりである。
　
（２）　対比・判断
　本願発明は，前記「２（２）」で検討した本願補正発明における「前記洗濯機置場および前記物干しスペースは洗面室内に配置されており、前記洗濯機置場および前記物干しスペースは、平断面コ字型の壁によって囲まれており、この平断面コ字型の壁の開口が前記洗面室の内側に向いており、前記洗面室と前記玄関ホールとが、互いに連通した状態で横方向に隣接配置されている」と特定していた限定を削除したものに実質的に相当する。
　したがって，本願発明と引用発明とを対比すると，前記「２　（４）」にて検討したことからすれば，上記＜相違点１＞〜＜相違点４＞で相違しその余の点で一致している。
　
　上記＜相違点１＞〜＜相違点４＞については，前記「２（５）」にて検討したとおりであるから，本願発明は，引用発明，引用例１，引用例２，引用例３に記載された事項及び周知の事項に基いて当業者が容易に想到し得たものである。
　
（３）　むすび
　以上のとおり，本願の請求項１に係る発明は，引用発明，引用例１，引用例２，引用例３に記載された事項及び周知の事項に基いて当業者が容易に発明をすることができたものと認められるので，特許法第２９条第２項の規定により特許を受けることができないため，本願のその余の請求項に係る発明について検討するまでもなく，本願は，同法第４９条第２号の規定に該当し，拒絶をされるべきものである。
　よって，結論のとおり審決する。